(57)【特許請求の範囲】
【請求項１】
下方に延びる垂下部を有し且つ主桿に掛止可能な少なくとも左右一対のフック部と、
前記左右一対のフック部の各垂下部に架け渡された第１架橋桿と、
前記第１架橋桿の下方に間隔をあけて前記第１架橋桿と平行に配置され、且つ前記第１架橋桿が架け渡されている前記左右一対の垂下部に架け渡された第２架橋桿と、を有し、
前記第１架橋桿の軸芯と前記第２架橋桿の軸芯を結ぶ仮想直線の長さが３５ｍｍ〜１００ｍｍとなるように、前記第１架橋桿と前記第２架橋桿が前記垂下部に固定的に連結されており、
前記フック部を前記主桿に掛止した際、前記仮想直線と鉛直線との成す角度が、０°より大きく３０°以下となるように構成されたハンガー吊り具。
【発明の詳細な説明】
【技術分野】
【０００１】
本発明は、衣服の掛けられたハンガーを収納空間に多数収納することができるハンガー吊り具に関する。
【背景技術】
【０００２】
従来、衣服などを収納する収納空間として、洋服ダンスやクローゼットなどの収納家具などが用いられている。このような収納家具は、木材で構成された伝統的な家具の他、近年ではパイプ材及びシート等を適宜組み立てた簡易組み立て型の家具など様々なものが知られている。
このような収納空間には、一般的に、金属製パイプ材などで形成された主桿が水平方向に架設されている。従って、主桿に衣服の掛けられたハンガー（以下、衣服が掛けられた状態のハンガーを衣服ハンガーという場合がある）を吊り下げることにより、衣服を収納空間に収納することができる。
しかし、主桿に衣服ハンガーを直接吊り下げると、隣り合う衣服ハンガーの厚肉部分（具体的には、衣服ハンガーの肩部及びハンガーフックが取り付けられた中央部）が干渉し合う。そのため、隣り合う衣服ハンガーの間隔を詰めることができず、主桿に多くの衣服ハンガーを吊り下げることができず、結果として多くの衣服を収納空間に収納できないという問題がある。
かかる問題を解決するため、本件出願人は、特許文献１に記載のハンガー吊り具を提案している。
【０００３】
特許文献１のハンガー吊り具は、主桿に掛止可能な一対のフック部と、一対のフック部に架け渡され且つハンガーを吊り下げ可能な架橋桿と、を有している。従って、本ハンガー吊り具を用いれば、主桿だけでなく架橋桿にも衣服ハンガーを吊り下げることができ、その結果、多くの衣服を収納空間に収納することができる。
また、本ハンガー吊り具は、フック部を主幹に掛止した際に、架橋桿の軸芯と主桿の軸芯とが略鉛直方向に位置する。従って、収納空間の奥行きが比較的短くても、本ハンガー吊り具を用いれば、衣服が収納空間の側壁面に当たることを防止できる。
【０００４】
しかしながら、特許文献１のハンガー吊り具を用いたとしても、主桿及び架橋桿の２箇所にしか衣服ハンガーを吊り下げることができない。市場では、さらに多くの衣服ハンガーを吊り下げ可能なハンガー吊り具が求められている。
また、特許文献１のハンガー吊り具を用いた場合、主桿及架橋桿に多くの衣服ハンガーを吊り下げると、その中から所望の衣服ハンガーを短時間で探し出すことが難しくなる場合がある。
例えば、主桿に丈の長い衣服が掛けられた衣服ハンガーを吊り下げ、且つ、架橋桿に丈の短い衣服が掛けられた衣服ハンガーを吊り下げた場合、丈の長い衣服によって丈の短い衣服が隠れてしまい、丈の短い衣服を短時間で探し出すことが困難となる場合がある。そのため、より衣服ハンガーの識別性を向上できるハンガー吊り具が求められている。
【先行技術文献】
【特許文献】
【０００５】
【特許文献１】特開２０１３−９９４５０号公報
【発明の開示】
【発明が解決しようとする課題】
【０００６】
本発明の課題は、比較的奥行きの短い収納空間に多くの衣服ハンガーを吊り下げることができ、且つ、吊り下げられた衣服ハンガーの識別性を向上できるハンガー吊り具を提供することである。
【課題を解決するための手段】
【０００７】
ハンガーの幅は、約３６ｃｍ〜約５２ｃｍと広範である。収納空間は、想定される全てのサイズのハンガーを収納可能とするため、一般的に、その奥行きがハンガーの幅よりも長くなるように設計されており、なお且つ、主桿に吊り下げたハンガーと収納空間の側壁面との間に２つの空隙が生じるように設計されている。
具体的に図を用いて説明する。図１５は、一般的な収納空間６Ａ（例えば、クローゼット）に設けられた主桿４Ａに衣服ハンガー５Ａを直接吊り下げた状態を示している。収納空間６Ａは、その奥行きＸが、衣服ハンガー５Ａの幅Ｙよりも長くなるように設計されており、主桿４Ａは、収納空間６Ａの奥行きの中央部を通るように架設されている。そのため、主桿４Ａに衣服ハンガー５Ａを吊り下げた状態において、衣服ハンガー５Ａと収納空間６Ａの側壁面６１Ａ，６２Ａとの間には、２つの空隙Ｚ１，Ｚ２が発生する。これらの空隙Ｚ１，Ｚ２は、ハンガーに掛けられた衣服が側壁面に当たることを防止するために必要な空間である。
上述のように、収納空間６Ａは、想定される全てのサイズのハンガーを収納可能となるように設計されているが、一般的に多く使用されるハンガーの幅は、約３６ｃｍ〜約４５ｃｍである。そのため、一般的な幅を有する衣服ハンガー５Ａを収納した収納空間６Ａには、必要以上に長い空隙Ｚ１，Ｚ２が生じる。本発明者は、この空隙Ｚ１，Ｚ２を利用することを見出し、本発明を創作した。
【０００８】
本発明のハンガー吊り具は、主桿に掛止可能な少なくとも左右一対のフック部と、前記左右一対のフック部の各垂下部に架け渡された第１架橋桿と、前記第１架橋桿の下方に間隔をあけて前記第１架橋桿と平行に配置され、且つ前記第１架橋桿が架け渡されている前記左右一対の垂下部に架け渡された第２架橋桿と、を有し、前記第１架橋桿の軸芯と前記第２架橋桿の軸芯を結ぶ仮想直線の長さが３５ｍｍ〜１００ｍｍとなるように、前記第１架橋桿と前記第２架橋桿が前記垂下部に固定的に連結されており、前記フック部を前記主桿に掛止した際、前記仮想直線と鉛直線との成す角度が、０°より大きく３０°以下となるように構成されている。
【発明の効果】
【００１０】
本発明のハンガー吊り具を使用すれば、比較的奥行きの短い収納空間に多くの衣服ハンガーを吊り下げられるだけでなく、吊り下げられた衣服ハンガーの識別性を上げることができる。
【図面の簡単な説明】
【００１１】
【図１】本発明の第１実施形態に係るハンガー吊り具の斜視図。
【図２】同正面図。
【図３】同左側面図。
【図４】図１乃至図３のハンガー吊り具を収納スペースの主桿に掛止した際における主桿と架橋桿の位置関係を示す、一部断面を含む拡大右側面図。
【図５】図６のハンガー吊り具に衣服ハンガーを吊り下げた状態を示す、一部断面を含む右側面図。
【図６】（ａ）は、第１実施形態の変形例に係るハンガー吊り具の左側面図、（ｂ）は同正面図。
【図７】（ａ）は、第１実施形態の他の変形例に係るハンガー吊り具の左側面図、（ｂ）は同正面図。
【図８】本発明の第２実施形態に係るハンガー吊り具を収納スペースの主桿に掛止した際における主桿と架橋桿の位置関係を示す、一部断面を含む拡大右側面図。
【図９】本発明の第２実施形態に係るハンガー吊り具を収納スペースの主桿に掛止した際における主桿と架橋桿の位置関係を示す、一部断面を含む拡大右側面図。
【図１０】本発明の第１変形例に係るハンガー吊り具の斜視図。
【図１１】（ａ）は、本発明の第２変形例に係るハンガー吊り具の一部省略斜視図、（ｂ）は、同左側面図、（ｃ）は、（ａ）のハンガー吊り具のフック部を回動させて扁平状にした状態を示す左側面図、（ｄ）は、（ｂ）のハンガー吊り具をＸＩｄ−ＸＩｄ線で切断した拡大端面図。
【図１２】（ａ）は、本発明の第３変形例に係るハンガー吊り具の正面図、（ｂ）は、(ａ）のハンガー吊り具をＸＩＩｂ−ＸＩＩ−ｂ線で切断した拡大端面図、（ｃ）は、（ａ）のハンガー吊り具を伸ばした状態を示す正面図。
【図１３】本発明の第４変形例に係るハンガー吊り具の斜視図。
【図１４】本発明の第５変形例に係るハンガー吊り具を収納スペースの主桿に掛止した際における主桿と架橋桿の位置関係を示す、一部断面を含む拡大右側面図。
【図１５】収納空間の主桿に直接衣服ハンガーを吊り下げた状態を示す、一部断面を含む参考側面図。
【発明を実施するための形態】
【００１２】
以下、本発明の好ましい実施形態について、適宜図面を参照しつつ具体的に説明する。
なお、本明細書において、「上」とは鉛直方向の天側を意味し、「下」とは鉛直方向の地側を意味する。また、角度及びその関係（例えば、直交、平行、３０°など）は、本発明の属する技術分野において許容される誤差範囲を含むものとする。例えば、平行などは、厳密な角度±２°の範囲内であることを意味し、好ましくは、±１°の範囲内である。
さらに、「ＰＰＰ〜ＱＱＱ」という記載は、「ＰＰＰ以上ＱＱＱ以下」を意味する。
【００１３】
本発明のハンガー吊り具は、一対のフック部と、一対のフック部に架け渡された第１架橋桿と、第１架橋桿の下方に間隔をあけて設けられた第２架橋桿と、を有し、フック部を主桿に掛止した際、第１架橋桿の軸芯と前記第２架橋桿の軸芯を結ぶ仮想直線と鉛直線との成す角度（以下、単に「角度α」と表す場合がある）が、０°〜３０°となるように構成されている。
以下、角度αが０°より大きく３０°以下となるように構成されたハンガー吊り具を本発明の第１実施形態として説明し、角度αが０°となるように構成されたハンガー吊り具を本発明の第２実施形態として説明する。なお、本明細書において、角度αに言及する場合、ハンガー吊り具のフック部が主桿に掛止された状態を基準にしている。以下、ハンガー吊り具のフック部が主桿に掛止された状態を単に「掛止状態」と表す場合がある。
【００１４】
［第１実施形態］
図１乃至図３に示す本発明のハンガー吊り具１は、収納空間の主桿に掛止可能な少なくとも一対のフック部２Ｌ，２Ｒと、左右一対のフック部２Ｌ，２Ｒに架け渡された第１架橋桿３１と、第１架橋桿３１の下方に間隔をあけて設けられ且つ第１架橋桿３１と平行に設けられた第２架橋桿３２と、を有する。なお、本明細書において、以後、第１架橋桿３１及び第２架橋桿３２を単に架橋桿３と総称する場合がある。
【００１５】
収納空間は、衣服ハンガーを収納する空間と、その空間を形成する筐体と、その筐体内の水平方向（鉛直方向と直交する方向）に架設された主桿と、を有する（図示せず）。この主桿に衣服ハンガーを吊り下げることにより、衣服が収納空間に収納される。
主桿は、例えば、所定径（例えば外径１６ｍｍ〜３２ｍｍ程度）のステンレスのような金属製のパイプ材などで形成されている。主桿の両端部は、筐体を構成する壁面、又は、筐体内に立設された支柱などに取り付けられる。主桿の軸芯は、筐体内で水平方向に延びている。
収納空間としては、例えば、一般家庭などで使用されている、洋服ダンスやクローゼットなどの収納家具（パイプ材及びシート等を適宜組み立てた簡易組み立て型の家具を含む）や前記主桿が横設された押し入れなどが挙げられる。
【００１６】
図１乃至図３のハンガー吊り具１は、左右一対のフック部２Ｌ，２Ｒの間に、第１架橋桿３１が架け渡されている。以下、一対のフック部２Ｌ，２Ｒを区別する場合には、その一方を左フック部２Ｌ、他方を右フック部２Ｒという。
具体的には、フック部２Ｌ，２Ｒは、それぞれ、主桿の円弧に適合した弧状部２３と、前記弧状部２３の両端部から下方に延びる第１垂下部２１及び第２垂下部２２と、を有する略逆Ｕ字状の部分からなる。なお、フック部２Ｌ，２Ｒの各弧状部２３は、主桿に適合する円弧状に形成されていることが好ましいが、前記弧状部２３は、主桿の円弧よりも大きく形成されていてもよい。フック部２Ｌ，２Ｒの弧状部２３を主桿に引っ掛けることで、ハンガー吊り具を主桿に係脱自在に掛止することができる。
なお、本明細書において、フック部２Ｌ，２Ｒの第１垂下部２１を基準に第２垂下部２２が位置する側を「前方」と表し、前方の反対側、即ち、第１垂下部２１を基準に第２垂下部２２が位置しない側を「後方」と表す。
【００１７】
前記フック部２Ｌ，２Ｒの各第１垂下部２１は、図３に示すように、第２垂下部２２よりも長く、従って、第１垂下部２１の下縁は第２垂下部２２の下縁よりも下方に突出している。
この第１垂下部２１と第２垂下部２２の前後間隔Ｌは、主桿に容易に掛入脱するため、主桿の外径と略同長又はそれ以上の長さとされている。なお、第１垂下部２１と第２垂下部２２の前後間隔Ｌは、主桿の外径よりも少し短く形成されていてもよい。この場合、第２垂下部２２を主桿に当てて押し込むことにより、第１垂下部２１及び第２垂下部２２が弾性変形するので、フック部２Ｌ，２Ｒを主桿に押し入れることができる。
【００１８】
フック部２Ｌ，２Ｒの形成材料は、特に限定されず、例えば、外径３ｍｍ〜２０ｍｍ程度の金属製線材、厚み１ｍｍ〜３ｍｍ程度の金属製平板、合成樹脂などが挙げられる。前記金属製線材は、特に限定されず、一般的には、鉄、ステンレス、アルミニウムなどが挙げられ、その断面形状も特に限定されず、中実又は中空の断面円形状、断面矩形状、断面三角形状などが挙げられる。具体的な実施例では、例えば、外径１０ｍｍ〜１５ｍｍの鉄製の断面円形状の中実な金属製線材が用いられる。
また、一対のフック部２Ｌ，２Ｒの間隔は、特に限定されず、例えば、１００ｍｍ〜１０００ｍｍ程度であり、好ましくは、２００ｍｍ〜５００ｍｍである。
【００１９】
図１乃至図３では、第１架橋桿３１は、フック部２Ｌ，２Ｒの第１垂下部２１の前方部に取り付けられている。第１架橋桿３１は、衣服ハンガーを吊り下げ可能な細長状の部分である。
具体的には、第１架橋桿３１の左端部は、左フック部２Ｌの第１垂下部２１の中央部に取り付けられ、且つ、第１架橋桿３１の右端部は、右フック部２Ｒの第１垂下部２１の中央部に取り付けられている。
左フック部２Ｌの第２垂下部２２と右フック部２Ｒの第２垂下部２２の間には、前記のような第１架橋桿３１が架け渡されておらず、前記各第２垂下部２２の下端部は、自由端部とされている。
なお、第１架橋桿３１とフック部２Ｌ，２Ｒの位置関係は図示例に限定されない。左フック部２Ｌの第１垂下部２１は図示例よりも第１架橋桿３１の軸芯方向中央寄りに位置していてもよく、右フック部２Ｒの第１垂下部２１は図示例よりも第１架橋桿３１の軸芯方向中央寄りに位置していてもよく、第１架橋桿３１は図示例よりも左フック部２Ｌの第１垂下部２１の上方に位置していてもよく、第１架橋桿３１は図示例よりも右フック部２Ｒの第１垂下部２１の上方に位置していてもよい（図示せず）。もっとも、フック部２Ｌ，２Ｒは、第１架橋桿３１の軸芯方向中央を基準に、略左右対称となる位置に取り付けられていることが好ましい。
【００２０】
第１架橋桿３１の下方には、間隔をあけて第２架橋桿３２が設けられている。第２架橋桿３２は、第１架橋桿３１と平行となるように設けられている。さらに、第１架橋桿３１と第２架橋桿３２は、連結部を介して固定的に連結されている。第２架橋桿３２は、第１架橋桿３１と同様に、衣服ハンガーを吊り下げ可能な細長状の部分である。
図１乃至図３のハンガー吊り具１では、フック部２Ｌ，２Ｒの第１垂下部２１が連結部である。即ち、本実施形態において、第１垂下部２１は、第１架橋桿３１が取り付けられる部分であると共に、第１架橋桿３１と第２架橋桿３２を連結する部分を兼ねている。第１架橋桿３１と第２架橋桿３２は、フック部２Ｌ，２Ｒの第１垂下部２１を介して固定的に連結されている。換言すると、第１架橋桿３１（第２架橋桿３２）の第２架橋桿３２（第１架橋桿３１）に対する位置が不変となるように連結部である第１垂下部２１を介して両架橋桿３１，３２が連結されている。従って、掛止状態において、ハンガー吊り具１のフック部２Ｌ，２Ｒが前後方向に揺動すれば、それに追従して第１掛止桿３１及び第２掛止桿３２も揺動する。掛止状態において、フック部２Ｌ，２Ｒの前後方向の揺動に追従せずに架橋桿３が前後方向に揺動することはない。即ち、架橋桿３のみがフック部２Ｌ，２Ｒと独立して前後方向に揺動することはない。
【００２１】
図１乃至図３では、第２架橋桿３２は、フック部２Ｌ，２Ｒの第１垂下部２１の前方部に取り付けられている。具体的には、第２架橋桿３２の左端部は、左フック部２Ｌの第１垂下部２１の下端部に取り付けられ、且つ、第２架橋桿３２の右端部は、右フック部２Ｒの第１垂下部２１の下端部に取り付けられている。
なお、第２架橋桿３２とフック部２Ｌ，２Ｒの位置関係は図示例に限定されない。左フック部２Ｌの第１垂下部２１は図示例よりも第２架橋桿３２の軸芯方向中央寄りに位置していてもよく、右フック部２Ｒの第１垂下部２１は図示例よりも第２架橋桿３２の軸芯方向中央寄りに位置していてもよく、第２架橋桿３２は図示例よりも左フック部２Ｌの第１垂下部２１の上方に位置していてもよく、第２架橋桿３２は図示例よりも右フック部２Ｒの第１垂下部２１の上方に位置していてもよい（図示せず）。もっとも、フック部２Ｌ，２Ｒは、第２架橋桿３２の軸芯方向中央を基準に、略左右対称となる位置に取り付けられていることが好ましい。
【００２２】
本発明では、図３に示すように、第１掛止桿３１の軸芯３１ｃと第２掛止桿３２の軸芯３２ｃの間隔Ｍが、３５ｍｍ〜１００ｍｍとされている。
間隔Ｍの下限値は、好ましくは４０ｍｍであり、より好ましくは５０ｍｍであり、間隔Ｍの上限値は、好ましくは８０ｍｍであり、より好ましくは６０ｍｍである。
間隔Ｍが３５ｍｍ〜１００ｍｍであれば、第１掛止桿３１に吊り下げたハンガーの厚肉部と第２掛止桿３２に吊り下げられたハンガーの厚肉部が干渉し難くなり、隣り合うハンガー間の間隔を短くすることができる。従って、本発明のハンガー吊り具１を用いれば、主桿にのみ衣服ハンガーを吊り下げる場合に比して、より多くの衣服ハンガーを吊り下げることができ、多くの衣服を収納空間に収納することができる。
【００２３】
架橋桿３の形成材料は、特に限定されず、例えば、外径６ｍｍ〜１５ｍｍ程度の金属製線材、合成樹脂などが挙げられる。金属製線材としては、上記と同様なものが挙げられる。掛止桿３は、中実であってもよく中空であってもよい。具体的な実施例では、例えば、外径１０ｍｍ〜１３ｍｍの鉄製の断面円形状の中空な金属製線材が用いられる。
第１掛止桿３１と第２掛止桿３２は、互いに同質量且つ同形同大であることが好ましい。第１掛止桿３１と第２掛止桿３２が互いに同質量且つ同形同大であれば、上記間隔Ｍを調整することにより、ハンガー吊り具の重心の位置を容易に変化させることができ、その結果、角度αを任意の値にすることができる。なお、図１乃至図３に示すハンガー吊り具１は、第１掛止桿３１と第２掛止桿３２が同質量且つ同形同大である。
もっとも、第１掛止桿３１と第２掛止桿３２の質量を互いに相違させることにより、ハンガー吊り具の重心の位置を任意に変化させることもできる。このような場合、第１掛止桿３１と第２掛止桿３２は、互いに異なる形成材料で形成されていてもよく、互いに異なる大きさ（例えば、第１掛止桿３１の外径を第２掛止桿の外径よりも長くするなど）に形成されていてもよい。
【００２４】
フック部２Ｌ，２Ｒ及び架橋桿３の形成材料が何れも金属である場合には、フック部２Ｌ，２Ｒ及び架橋桿３を別々に形成し且つ溶接にて両者を固着することにより、ハンガー吊り具１を形成し得る。
フック部２Ｌ，２Ｒ及び架橋桿３の形成材料が何れも合成樹脂である場合には、両者を一体的に形成してもよいし、或いは、両者を別々に形成し、それを接着剤などで固着してもよい。
なお、前記金属製又は合成樹脂製のフック部２Ｌ，２Ｒ及び架橋桿３の固着方法は、ネジ止め、リベット止めなどの締結具を用いて行ってもよい。強度的に優れていることから、本発明のハンガー吊り具１は、金属製であることが好ましい。
【００２５】
本発明の第１実施形態に係るハンガー吊り具１は、第１掛止桿３１と第２掛止桿３２を有するため、両掛止桿３１，３２に衣服ハンガーを吊り下げることができるだけでなく、掛止状態における角度αが０°より大きく３０°以下とされているため、ハンガー吊り具１に吊り下げられた衣服ハンガーの識別性を向上できる。
以下、本発明の第１実施形態に係るハンガー吊り具（図１乃至図３のハンガー吊り具）を主桿に掛止した状態について、図４及び図５を参照しつつ説明する。
【００２６】
図４は、図１乃至図３のハンガー吊り具１を収納空間の主桿４に掛止した状態を図示したものであり、図５は、図４のハンガー吊り具に２つの衣服ハンガー５を吊り下げた状態を図示したものである。
本発明の第１実施形態に係るハンガー吊り具１は、上述したように、フック部２Ｌ，２Ｒの第１垂下部２１の前方部に第１架橋桿３１及び第２架橋桿３２が設けられており、さらにフック部２Ｌ，２Ｒの第２垂下部２２が自由端部とされている。従って、ハンガー吊り具１の重心の位置は、弧状部２３の中央部（前後方向における中央部）を基準にして、後方に偏っている。そのため、ハンガー吊り具１をフック部２Ｌ，２Ｒを介して主桿４に掛止すると、図４に示すように、ハンガー吊り具１が傾き、主桿４の軸芯４ｃを通る鉛直線Ｂが、第１掛止桿３１と第２掛止桿３２の間に位置する第１垂下部２１を通るようになる。換言すれば、ハンガー吊り具１が傾くことにより、主桿４の軸芯４ｃよりも後方に第１掛止桿３１が位置し、主桿４の軸芯４ｃよりも前方に第２掛止桿３２が位置するようになる。
【００２７】
本実施形態では、掛止状態において、第１掛止桿３１の軸芯３１ｃと第２掛止桿３２の軸芯３２ｃを結ぶ仮想直線Ａと鉛直線Ｂとの成す角度αが０°より大きく３０°以下とされている。そのため、第２掛止桿３２が第１掛止桿３１よりも前方に突出する。即ち、第１掛止桿３１と第２掛止桿３２は、前後方向に数ミリ〜数センチ位置ズレする。
角度αは、好ましくは、３°〜３０°であり、より好ましくは、５°〜３０°であり、特に好ましくは１０°〜３０°である。
上述のように、仮想直線Ａの長さ（図３における、第１掛止桿３１の軸芯３１ｃと第２掛止桿３２の軸芯３２ｃの間隔Ｍ）は、３５ｍｍ〜１００ｍｍである。従って、仮想直線Ａの長さ及び角度αを変更することにより、第１架橋桿３１の軸心３１ｃと第２架橋桿３２の軸心３２ｃの前後方向における位置ズレ長さが適宜設定できる。
なお、仮想直線Ａの長さは、第１架橋桿３１及び第２架橋桿３２の第１垂下部２１に対する取り付け位置を変更することで容易に変更でき、角度αはハンガー吊り具の重心の位置を変えることで任意に調整できる。ハンガー吊り具の重心の位置を変える方法としては、例えば、第１掛止桿３１と第２掛止桿３２を互いに異なる形成材料で形成することにより両掛止桿３１，３２の質量を相違させることや、第１架橋桿３１及び第２架橋桿３２の第１垂下部２１に対する取り付け位置を変更することや、フック部の形状を変更することなどが挙げられる。
【００２８】
本実施形態では、角度αの最大値が３０°である。そのため、第１架橋桿３１の軸心３１ｃと第２架橋桿３２の軸心３２ｃの前後方向における位置ズレ長さは、最大でＭ／２となる。
また、図４では、主桿４の軸芯４ｃを通る鉛直線Ｂは、第１架橋桿３１と第２架橋桿３２の間に位置する第１垂下部２１の中央部を通っている。そのため角度αが３０°である場合、第１掛止桿３１は、主桿４の軸芯４ｃを基準に、後方に略Ｍ／４位置ずれし、第２掛止桿３２は主桿４の軸芯４ｃを基準に前方に略Ｍ／４位置ずれすることとなる。
仮想直線Ａの長さＭは、最大で１００ｍｍであるため、Ｍ／２は最大で５０ｍｍであり、Ｍ／４は最大で２５ｍｍである。
角度αが３０°よりも大きい場合、第２掛止桿３２が前方に突出し過ぎ、比較的奥行きの短い収納空間に衣服ハンガーを収納することが困難になる虞がある。また、角度αが３０°よりも大きい場合、第１掛止桿と第２掛止桿の上下方向における位置ズレ長さが小さくなり過ぎ、第１掛止桿に吊り下げられたハンガーの厚肉部と第２掛止桿に吊り下げられたハンガーの肉厚部同士が干渉する結果、多くの衣服ハンガーを吊り下げることができない虞がある。
【００２９】
主桿４の軸芯４ｃと第１掛止桿３１の軸芯３１ｃの間隔は、特に限定されないが、好ましくは３５ｍｍ〜１００ｍｍである。前記間隔の下限値は、好ましくは４０ｍｍであり、より好ましくは５０ｍｍであり、前記間隔の上限値は、好ましくは８０ｍｍであり、より好ましくは６０ｍｍである。
また、掛止状態における、主桿４の軸芯４ｃと第１掛止桿３１の軸芯３１ｃを結ぶ仮想直線と鉛直線Ｂとの成す角度は、特に限定されないが、通常、０°〜３０°であり、好ましくは０°より大きく３０°以下であり、より好ましくは３°〜３０°であり、さらに好ましくは５°〜３０°であり、特に好ましくは１０°〜３０°である。
【００３０】
図５は、図４のハンガー吊り具に衣服ハンガーを吊り下げた状態を表した参考側面図である。
図５に示すように、第２掛止桿３２に吊り下げられた衣服ハンガー５は、第１掛止桿３１に吊り下げられた衣服ハンガー５よりも、その肩部が前方に突出する。従って、第１掛止桿３１に吊り下げられた衣服が第２掛止桿３２に吊り下げられた衣服全体と重なり難い。そのため、より衣服ハンガーの識別性を上げることができる。
また、上述のように、一般的な収納空間では、主桿に吊り下げた衣服ハンガーと側壁面との間に空隙が発生する。使用するハンガーの幅にもよるが、比較的奥行きの短い収納空間であっても、この空隙は５０ｍｍよりも長くなる場合が多い。
本発明では、第１掛止桿と第２掛止桿の位置ズレ長さは最大でも５０ｍｍであるため、比較的奥行きの短い収納空間であっても第１掛止桿と第２掛止桿に衣服ハンガーを吊り下げることができ、なお且つ、衣服ハンガーの識別性を向上できる。
【００３１】
仮想直線Ａの長さが３５ｍｍよりも短い場合、第１掛止桿に吊り下げられたハンガーの厚肉部と第２掛止桿に吊り下げられたハンガーの厚肉部とが重なり合い、より多くの衣服ハンガーを吊り下げられない虞がある。また、仮想直線Ａの長さが１００ｍｍよりも長い場合、ハンガー吊り具を主桿に掛止した状態において、第２掛止桿が第１掛止桿よりも大幅に前方に突出することとなる。その結果、第２掛止桿に吊り下げられた衣服ハンガーが収納空間の側壁面に接触する虞がある。
【００３２】
なお、図１乃至図３に示すハンガー吊り具１では、架橋桿３が、フック部２Ｌ，２Ｒの第１垂下部２１の前方部同士を架け渡すように取り付けられているが、架橋桿３の取り付け位置は図示例に限定されない。
例えば、図６に示すように、第１架橋桿３１及び第２架橋桿３２がフック部２Ｌ，２Ｒの第１垂下部２１の側方部同士を架け渡すように取り付けられていてもよく、図７に示すように、第１架橋桿３１及び第２架橋桿３２がフック部２Ｌ，２Ｒの第１垂下部２１の後方部同士を架け渡すように取り付けられていてもよい。架橋桿３が図６及び図７に示すような取り付け位置であったとしても、角度αは、０°より大きく３０°以下とすることができる。
【００３３】
［第２実施形態］
本発明の第２実施形態に係るハンガー吊り具では、角度αが０°とされている。以下、第２実施形態に係るハンガー吊り具について説明するが、基本的な構成は第１実施形態のハンガー吊り具と同様であるため、主に第１実施形態と相違する構成について説明する。
【００３４】
図８及び図９は、それぞれ第２実施形態に係るハンガー吊り具の一例を示したものである。本発明の第２実施形態では、掛止状態において、第１掛止桿３１の軸芯３１ｃと第２掛止桿３２の軸芯３２ｃを通る仮想直線Ａと鉛直線Ｂとの成す角度αが０°である。即ち、仮想直線Ａと鉛直線Ｂは平行である。図８及び図９のハンガー吊り具１では、さらに、仮想直線Ａの延長線が主桿４の軸芯４ｃを通るように構成されている。なお、図８及び図９では、仮想直線Ａと鉛直線Ｂが完全に重なり合っているため、鉛直線Ｂのみを一点鎖線で示しており、仮想直線Ａ及びその延長線並びに角度αは図示していない。
【００３５】
図８のハンガー吊り具では、第１掛止桿３１をフック部２Ｌ，２Ｒの第１垂下部２１の前方部に取り付け且つ第２掛止桿３２をフック部２Ｌ，２Ｒの第１垂下部２１の後方部に取り付けることにより０°の角度αを実現しており、図９のハンガー吊り具１では、フック部２Ｌ，２Ｒの弧状部２３と第１垂下部２１の間に段差を設け且つ第１垂下部２１の側方部に第１掛止桿３１及び第２掛止桿３２を取り付けることで０°の角度αを実現している。
【００３６】
本発明の第２実施形態に係るハンガー吊り具１は、第１掛止桿３１の軸芯３１ｃと第２掛止桿３２の軸芯３２ｃの間隔が３５ｍｍ〜１００ｍｍであるため、第１掛止桿３１に吊り下げたハンガーの厚肉部が第２掛止桿３２に吊り下げたハンガーの厚肉部と重なり合い難い。従って、より多くの衣服ハンガーを掛止桿３に吊り下げることができる。
また、仮想直線Ａの延長線が主桿４の軸芯４ｃを通ることにより、主桿４、第１掛止桿３１、及び第２掛止桿３２に吊り下げられた衣服ハンガーは、互いに前後方向に位置ズレしない。従って、比較的奥行きの短い（略ハンガーの幅と同じ長さの奥行きを有する）収納空間であってもハンガー吊り具１を収納することができる。
【００３７】
このように、本発明のハンガー吊り具は、角度αを０°とした場合、比較的奥行きの短い収納空間に多くの衣服ハンガーを吊り下げることができ、角度αを０°より大きく３０°以下とした場合、さらに、吊り下げられた衣服ハンガーの識別性を向上できる。
【００３８】
以下、本発明の変形例について説明する。なお、変形例１乃至５の説明において参照する図１０乃至図１４は、本発明の第１実施形態（角度αを０°より大きく３０°以下とする）に対応している。しかし、以下に説明する変形例１乃至５の特徴は、本発明の第２実施形態（角度αを０°とする場合）にも適用可能である。
また、下記変形例の説明では、主として本発明の第１及び第２実施形態と異なる構成及び効果について説明し、上記実施形態と同様の構成などについては、その説明を省略し、用語及び符号を援用する。
【００３９】
［第１変形例］
上記実施形態では、第１架橋桿３１及び第２架橋桿３２に対して２つのフック部２Ｌ，２Ｒが取り付けられたハンガー吊り具１を例示しているが、本発明では、フック部の数は２つに限定されない。
例えば、図１０に示すように、フック部２Ｌ，２Ｒ，２Ｃは３箇所設けられていてもよく、また、特に図示しないが、４箇所以上の複数箇所にフック部が設けられていてもよい。
架橋桿３を比較的長く形成する場合には、ハンガーを吊り下げた際に架橋桿３の湾曲を防止するため、３箇所以上にフック部を設けることが好ましい。フック部を３箇所以上設ける場合、各フック部の間隔は等間隔であることが好ましい。
【００４０】
［第２変形例］
また、本発明のハンガー吊り具は、フック部が第１垂下部を中心軸として回動可能に構成されていてもよい。
具体的には、図１１に示されるハンガー吊り具１は、フック部２Ｌ，２Ｒの第１垂下部２１と第１掛止桿３１及び第２掛止桿３２が、筒状部２４を介して取り付けられている。即ち、本変形例では、筒状部２４が連結部である。
フック部２Ｌ，２Ｒは、その第１垂下部２１が筒状部２４に挿入されていると共に、第１垂下部２１の下縁に筒状部２４の内径よりも広い幅の抜止部２５を有する。
図１１（ｄ）に示すように、筒状部２４は、フック部２Ｌ，２Ｒの第１垂下部２１の外径よりも大きな内径を有するように構成されている。そのため、フック部２Ｌ，２Ｒは、第１垂下部２１を中心軸として回動可能である（図１１（ａ）に示す矢印方向に回動可能である）。なお、筒状部２４は、第１垂下部２１の上下に摺動可能であるが、フック部２Ｌ，２Ｒの弧状部２３及び抜止部２５がストッパーとして機能するため、筒状部２４は第１垂下部２１から抜け出ることがない。
図１１（ａ）及び図１１（ｂ）では、第１垂下部２１、弧状部２３、及び第２垂下部２２を含む仮想平面と第１架橋桿３１及び第２架橋桿３２を含む仮想平面とが直交している。そして、フック部を第１垂下部２１を中心軸として回動させることで両平面を平行にし、図１１（ｃ）に示すように、ハンガー吊り具を扁平状に変形させることができる。従って、ハンガー吊り具を使用しない場合、それを扁平状とすることで、嵩張らずに保管することができる。
【００４１】
［第３変形例］
本発明のハンガー吊り具は、第１掛止桿及び第２掛止桿がその軸芯方向に伸縮するように構成することもできる。
例えば、伸縮可能な架橋桿３を有するハンガー吊り具１は、図１２（ａ）に示すように、複数のフック部２Ｌ，２Ｒ，２Ｃと、複数のフック部２Ｌ，２Ｒ，２Ｃに取り付けられた第１架橋桿３１と第２架橋桿３２を有する。
第１架橋桿３１及び第２架橋桿３２は、それぞれ第１棒材３１１，３２１と第２棒材３１２，３２２とから構成され、第１棒材３１１，３２１は、第２棒材３１２，３２２に対して出退可能とされている。例えば、第２棒材３１２，３２２は、パイプから構成され、第１棒材３１１，３２１は、第２棒材３１２，３２２の内側の空間に挿入脱可能な径を有する細長部材で構成されている（図１２（ｂ）参照）。
第１棒材３１１，３２１には１つのフック部２Ｌが取り付けられており、且つ、第２棒材３１２，３２２には２つのフック部２Ｃ，２Ｒが取り付けられている。
本変形例に係るハンガー吊り具１は、図１２（ｃ）に示すように、架橋桿３の軸芯方向に伸ばすことができ、（図示しないが）逆に縮めることもできる。
なお、第１棒材３１１，３２１及び第２棒材３１２，３２２に取り付けられるフック部の数は特に限定されず、必要に応じて本変形例よりも増やすことができる。
本変形例のハンガー吊り具１は、第１架橋桿３１及び第２架橋桿３２を伸縮できるため、収納空間の幅に応じて伸ばしたり或いは縮めたりして使用できる。さらに、ハンガー吊り具１を使用しないときには、それを縮めてコンパクトにして保管しておくこともできる。
第２棒材３１２，３２２の外径は、特に限定されず、例えば１２ｍｍ〜１５ｍｍである。また、第２棒材３１２，３２２の内径は、特に限定されず、例えば１１ｍｍ〜１３ｍｍである。第２棒材３１２，３２２の機械的強度を担保するため、その内径は、その外径よりも１ｍｍ以上小さいことが好ましい。
第１棒材３１１，３２１の外径は、特に限定されず、第２棒材３１２，３２２の内径に合わせて適宜調整できる。第１棒材３１１，３２１の外径は、例えば９ｍｍ〜１１ｍｍであり、好ましくは８．５ｍｍ〜１０．５ｍｍである。第１棒材３１１，３２１の第２棒材３１２，３２２に対する出退を滑らかにするため、第１棒材３１１，３２１の外径は第２棒材３１２，３２２の内径よりも１ｍｍ以上小さいことが好ましい。第１棒材３１１，３２１は中実であってもよく中空であってもよい。
【００４２】
［第４変形例］
本発明のハンガー吊り具は、フック部とは異なる独立した他部材を連結部に用いることで第１架橋桿と第２架橋桿が固定的に連結されていてもよい。
例えば、図１３に示すハンガー吊り具１は、フック部２Ｌ，２Ｒの第１垂下部２１の下端部に第１架橋桿３１のみが取り付けられており、第１架橋桿３１と第２架橋桿は、２つの棒状部材７によって固定的に連結されている。本変形例では、この棒状部材７が連結部である。棒状部材７の数及び取り付け位置は特に限定されず、任意に変更することができる。
【００４３】
［第５変形例］
本発明のハンガー吊り具は、フック部の第１垂下部（連結部に相当）が弧状に形成されていてもよい。
例えば、図１４に示すハンガー吊り具１は、フック部２Ｌ，２ＲがＳ字状に形成されており、第１架橋桿３１と第２架橋桿３２を連結する第１垂下部２１が弧状に形成されている。図示例では、第１架橋桿３１の方が第２架橋桿３２よりも前方に位置するように設けられており、第１架橋桿３１の軸芯３１ｃと第２架橋桿３２の軸芯３２ｃを結ぶ仮想直線Ａと鉛直線Ｂとの成す角度は０°より大きく３０°以下とされている。
第１実施形態では、角度αは主桿４の軸芯４ｃを通る鉛直線Ｂを基準に前方に観念されるが、本変形例では鉛直線Ｂを基準に後方に角度αが観念される。本変形例のハンガー吊り具１は、第２掛止桿３２が収納空間の手前に位置するように主桿４に掛止して使用される。
【００４４】
本発明のハンガー吊り具は、上述した実施形態に限定されず、本発明の意図する範囲で様々に設計変更できる。
例えば、回動可能なフック部を有する第２変形例のハンガー吊り具に対し、第３変形例の伸縮可能な掛止桿や第４変形例の棒状部材を組み合わせてもよい。
【００４５】
本発明のハンガー吊り具は、少なくとも２本の架橋桿、即ち、第１架橋桿と第２架橋桿を有し、なお且つ、第１架橋桿の軸芯と第２架橋桿の軸芯を結ぶ仮想直線の長さが３５ｍｍ〜１００ｍｍとなるように構成されている。そのため、主桿にハンガーを直接吊り下げるよりも多くのハンガーを吊り下げることができ、その結果、多くの衣服を収納空間に収納することができる。
また、前記仮想直線と鉛直線との成す角度が０°より大きく３０°以下である場合、第２架橋桿が第１架橋桿よりも前方に突出するため、衣服ハンガーの視認性を向上できる。
【符号の説明】
【００４６】
１…ハンガー吊り具、２Ｌ，２Ｒ…フック部、３１…第１架橋桿、３１ｃ…第１架橋桿の軸芯、３２…第２架橋桿、３２ｃ…第２架橋桿の軸芯、４…主桿、４ｃ…主桿の軸芯、５…衣服ハンガー
【図１】
0006478314.tif 000002
【図２】
0006478314.tif 000003
【図３】
0006478314.tif 000004
【図４】
0006478314.tif 000005
【図５】
0006478314.tif 000006
【図６】
0006478314.tif 000007
【図７】
0006478314.tif 000008
【図８】
0006478314.tif 000009
【図９】
0006478314.tif 000010
【図１０】
0006478314.tif 000011
【図１１】
0006478314.tif 000012
【図１２】
0006478314.tif 000013
【図１３】
0006478314.tif 000014
【図１４】
0006478314.tif 000015
【図１５】
0006478314.tif 000016